【手続補正書】
【提出日】平成19年8月20日(2007.8.20)
【手続補正１】
【補正対象書類名】明細書
【補正対象項目名】発明の名称
【補正方法】変更
【補正の内容】
【発明の名称】フレキシブル回路基板実装体の製造方法及び製造装置
【手続補正２】
【補正対象書類名】特許請求の範囲
【補正対象項目名】全文
【補正方法】変更
【補正の内容】
【特許請求の範囲】
【請求項１】
第１の配線パターンと第２の配線パターンがそれぞれ両面に形成された圧着基板と、接続端子を設けたフレキシブル回路基板を前記圧着基板の側面箇所にて屈曲させて、前記第１の配線パターンと、前記第２の配線パターンに前記接続端子をそれぞれ接続するフレキシブル回路基板実装体の製造方法において、 前記フレキシブル回路基板が、前記圧着基板に対して垂直な方向で、前記フレキシブル回路基板の前記接続端子形成表面と前記圧着基板の一側面が対向するように、前記フレキシブル回路基板を固定ツールに載置する基板載置工程と、 前記圧着基板と前記フレキシブル回路基板とのいずれか一方、または両方を移動させて、前記垂直に配したフレキシブル回路基板を挟んで前記圧着基板と対向配置され、かつ前記フレキシブル回路基板の幅よりも狭い間隔で配置された上下の圧着ツール間に、前記フレキシブル回路基板と前記圧着基板とを挿入し、前記フレキシブル回路基板が前記圧着基板を挟むようにフレキシブル回路基板を屈曲させる基板移動工程と、 前記上下の圧着ツールを用いて、前記フレキシブル回路基板を前記圧着基板の両面に同時に圧着して、前記第１、第２の配線パターンと前記接続端子とを接続した実装体を形成する圧着工程と、 を備えることを特徴とするフレキシブル回路基板実装体の製造方法。
【請求項２】
前記基板移動工程は、前記圧着基板と前記フレキシブル回路基板のいずれか一方、または両方を移動させ、前記フレキシブル回路基板の接続端子が形成されている一方の表面と前記圧着基板の側面とを当接し、その後、前記フレキシブル回路基板の他方の表面を前記上下の圧着ツール端面に当接させた後、前記フレキシブル回路基板を前記固定ツールから開放し、前記フレキシブル回路基板が開放された状態で、前記上下の圧着ツール間に前記フレキシブル回路基板と前記圧着基板とを挿入することを特徴とする請求項１に記載のフ
レキシブル回路基板実装体の製造方法。
【請求項３】
前記基板載置工程は、前記フレキシブル回路基板と前記圧着基板との位置決めを行った後に両基板を所定の位置で、前記フレキシブル回路基板が、前記圧着基板に対して垂直な方向となるように固定することを特徴とする請求項１または２に記載のフレキシブル回路基板実装体の製造方法。
【請求項４】
前記圧着基板は、液晶パネルを構成するガラス基板であることを特徴とする請求項１から３のいずれか一項に記載のフレキシブル回路基板実装体の製造方法。 
【請求項５】
第１の配線パターンと第２の配線パターンがそれぞれ両面に形成された圧着基板と、接続端子を設けたフレキシブル回路基板を前記圧着基板の側面箇所にて屈曲させて、前記第１の配線パターンと、前記第２の配線パターンに前記接続端子をそれぞれ接続するフレキシブル回路基板実装体の製造装置において、 
前記圧着基板を載置する圧着基板ステージと、
前記フレキシブル回路基板が、前記圧着基板に対して垂直な方向で、前記フレキシブル回路基板の前記接続端子形成表面と前記圧着基板の一側面が対向するように、前記フレキシブル回路基板を載置する固定ツールと、
前記垂直に配したフレキシブル回路基板を挟んで前記圧着基板と対向配置され、かつ前記フレキシブル回路基板の幅よりも狭い間隔で配置された上下の圧着ツールと、
前記圧着基板と前記フレキシブル回路基板とのいずれか一方、または両方を移動させて、前記上下の圧着ツール間に、前記フレキシブル回路基板と前記圧着基板とを挿入し、前記フレキシブル回路基板が前記圧着基板を挟むようにフレキシブル回路基板を屈曲させる基板移動手段と、
前記上下の圧着ツールを用いて、前記フレキシブル回路基板を前記圧着基板の両面に同時に圧着して、前記第１、第２の配線パターンと前記接続端子とを接続した実装体を形成する圧着手段と、
を備えることを特徴とするフレキシブル回路基板実装体の製造装置。
【請求項６】
前記基板移動手段は、前記圧着基板と前記フレキシブル回路基板のいずれか一方、または両方を移動させ、前記フレキシブル回路基板の接続端子が形成されている一方の表面と前記圧着基板の側面とを当接し、その後、前記フレキシブル回路基板の他方の表面を前記上下の圧着ツール端面に当接させた後、前記フレキシブル回路基板を前記固定ツールから開放し、前記フレキシブル回路基板が開放された状態で、前記上下の圧着ツール間に前記フレキシブル回路基板と前記圧着基板とを挿入することを特徴とする請求項５に記載のフレキシブル回路基板実装体の製造装置。
【請求項７】
前記基板載置手段は、前記フレキシブル回路基板と前記圧着基板との位置決めを行った後に両基板を所定の位置で、前記フレキシブル回路基板が、前記圧着基板に対して垂直な方向となるように固定することを特徴とする請求項５または６に記載のフレキシブル回路基板実装体の製造装置。
【手続補正３】
【補正対象書類名】明細書
【補正対象項目名】０００１
【補正方法】変更
【補正の内容】
【０００１】
本発明は、フレキシブル回路基板実装体の製造方法に関するもので、さらに詳しくは、圧着基板の両面にフレキシブル回路基板を実装したフレキシブル回路基板実装体の製造方法及び製造装置に関するものである。
【手続補正４】
【補正対象書類名】明細書
【補正対象項目名】００１１
【補正方法】変更
【補正の内容】
【００１１】
〔発明の目的〕
そこで本発明の目的は、上記課題を解決して、ガラス基板の両面にフレキシブル回路基板を実装する製造工程において、フレキシブル回路基板の屈曲によるフレキシブル回路基板の剥離や、圧着の際の加熱によるフレキシブル回路基板のズレや剥離を生じることなく実装ができ、電気的に信頼性の高いフレキシブル回路基板実装体を得ることができるフレキシブル回路基板実装体の製造方法及び製造装置を提供することである。
【手続補正５】
【補正対象書類名】明細書
【補正対象項目名】００１２
【補正方法】変更
【補正の内容】
【００１２】
上記目的を達成するために、本発明の製造方法及び製造装置は、下記記載の手段を採用する。
【手続補正６】
【補正対象書類名】明細書
【補正対象項目名】００１４
【補正方法】変更
【補正の内容】
【００１４】
また、基板移動工程は、圧着基板とフレキシブル回路基板のいずれか一方、または両方を移動させ、フレキシブル回路基板の接続端子が形成されている一方の表面と圧着基板の側面とを当接し、その後、フレキシブル回路基板の他方の表面を上下の圧着ツール端面に当接させた後、フレキシブル回路基板を固定ツールから開放し、フレキシブル回路基板が開放された状態で、上下の圧着ツール間にフレキシブル回路基板と圧着基板とを挿入することを特徴とする。
また、基板載置工程は、フレキシブル回路基板と圧着基板との位置決めを行った後に両基板を所定の位置で、フレキシブル回路基板が、圧着基板に対して垂直な方向となるように固定することを特徴とする。
また、圧着基板は、液晶パネルを構成するガラス基板であることを特徴とする。
【手続補正７】
【補正対象書類名】明細書
【補正対象項目名】００１５
【補正方法】変更
【補正の内容】
【００１５】
第１の配線パターンと第２の配線パターンがそれぞれ両面に形成された圧着基板と、接続端子を設けたフレキシブル回路基板を前記圧着基板の側面箇所にて屈曲させて、前記第１の配線パターンと、前記第２の配線パターンに前記接続端子をそれぞれ接続するフレキシブル回路基板実装体の製造装置において、前記圧着基板を載置する圧着基板ステージと、前記フレキシブル回路基板が、前記圧着基板に対して垂直な方向で、前記フレキシブル回路基板の前記接続端子形成表面と前記圧着基板の一側面が対向するように、前記フレキシブル回路基板を載置する固定ツールと、前記垂直に配したフレキシブル回路基板を挟んで前記圧着基板と対向配置され、かつ前記フレキシブル回路基板の幅よりも狭い間隔で配
置された上下の圧着ツールと、前記圧着基板と前記フレキシブル回路基板とのいずれか一方、または両方を移動させて、前記上下の圧着ツール間に、前記フレキシブル回路基板と前記圧着基板とを挿入し、前記フレキシブル回路基板が前記圧着基板を挟むようにフレキシブル回路基板を屈曲させる基板移動手段と、前記上下の圧着ツールを用いて、前記フレキシブル回路基板を前記圧着基板の両面に同時に圧着して、前記第１、第２の配線パターンと前記接続端子とを接続した実装体を形成する圧着手段と、を備えることを特徴とする。
【手続補正８】
【補正対象書類名】明細書
【補正対象項目名】００１６
【補正方法】変更
【補正の内容】
【００１６】
前記基板移動手段は、前記圧着基板と前記フレキシブル回路基板のいずれか一方、または両方を移動させ、前記フレキシブル回路基板の接続端子が形成されている一方の表面と前記圧着基板の側面とを当接し、その後、前記フレキシブル回路基板の他方の表面を前記上下の圧着ツール端面に当接させた後、前記フレキシブル回路基板を前記固定ツールから開放し、前記フレキシブル回路基板が開放された状態で、前記上下の圧着ツール間に前記フレキシブル回路基板と前記圧着基板とを挿入することを特徴とする。
また、前記基板載置手段は、前記フレキシブル回路基板と前記圧着基板との位置決めを行った後に両基板を所定の位置で、前記フレキシブル回路基板が、前記圧着基板に対して垂直な方向となるように固定することを特徴とする。